(57)【要約】【課題】窓枠が空いた記録媒体の詰まり（ジャム）を避ける。【解決手段】記録用紙の表面に周面が接触して回転する回転部材によって記録用紙を搬送する搬送機と、上記搬送機によって搬送される記録用紙上に画像を形成する画像形成機と、上記記録用紙に窓枠があいている窓枠付き記録用紙について、窓枠と上記回転部材との位置関係を特定するための情報を入手する位置情報入手部と、上記位置情報入手部によって入手された情報に基づいて、上記搬送機による上記窓枠付き記録用紙の搬送の安定性を判定し、搬送が不安定である場合に使用者に警告する判定警告部と、を備える。【選択図】図２
2015161796.tif 000002
【特許請求の範囲】
【請求項１】
記録用紙の表面に周面が接触して回転する回転部材によって該記録用紙を搬送する搬送機と、
前記搬送機によって搬送される記録用紙上に画像を形成する画像形成機と、
前記記録用紙に窓枠があいている窓枠付き記録用紙について、該窓枠と前記回転部材との位置関係を特定するための情報を入手する位置情報入手部と、
前記位置情報入手部によって入手された情報に基づいて、前記搬送機による前記窓枠付き記録用紙の搬送の安定性を判定し、搬送が不安定である場合に使用者に警告する判定警告部と、
を備えたことを特徴とする画像形成装置。
【請求項２】
前記判定警告部が、前記位置情報入手部によって入手された情報に基づいて搬送が不安定であると判定した場合には、搬送における前記窓枠付き記録用紙の向きを変更した条件で搬送の安定性を判定し直すものであることを特徴とする請求項１記載の画像形成装置。
【請求項３】
前記判定警告部が、判定し直しで搬送が安定であると判定した場合には、使用者に、搬送における前記窓枠付き記録用紙の向きの変更を促すものであることを特徴とする請求項２記載の画像形成装置。
【請求項４】
前記搬送機が、前記回転部材として、前記記録用紙の搬送方向に沿って並んだ複数の直列回転部材を有するものであり、
前記判定警告部が、前記直列回転部材同士の間隔を考慮して搬送の安定性を判定するものであることを特徴とする請求項１から３のいずれか１項記載の画像形成装置。
【請求項５】
前記位置情報入手部が、前記窓枠付き記録用紙の形状を読み取り装置で読み取ることで前記情報を入手するものであることを特徴とする請求項１から４のいずれか１項記載の画像形成装置。
【発明の詳細な説明】
【技術分野】
【０００１】
本発明は、画像形成装置に関する。
【背景技術】
【０００２】
従来、パンチ穴や窓枠などが空いた用紙に対して画像を形成する画像形成装置が知られている。
【０００３】
例えば特許文献１には、穴を有するバインダー用紙を検知してから所定時間にわたってセンサーの紙検出をマスクして、ジャムせずに通紙可能な画像形成装置が開示されている。
【先行技術文献】
【特許文献】
【０００４】
【特許文献１】特開平１０−３１５５５３号公報
【発明の概要】
【発明が解決しようとする課題】
【０００５】
本発明は、窓枠が空いた記録媒体の詰まり（ジャム）を避けることを目的とする。
【課題を解決するための手段】
【０００６】
請求項１に係る画像形成装置は、
記録用紙の表面に周面が接触して回転する回転部材によって記録用紙を搬送する搬送機と、
上記搬送機によって搬送される記録用紙上に画像を形成する画像形成機と、
上記記録用紙に窓枠があいている窓枠付き記録用紙について、窓枠と上記回転部材との位置関係を特定するための情報を入手する位置情報入手部と、
上記位置情報入手部によって入手された情報に基づいて、上記搬送機による上記窓枠付き記録用紙の搬送の安定性を判定し、搬送が不安定である場合に使用者に警告する判定警告部と、
を備えたことを特徴とする。
【０００７】
請求項２に係る画像形成装置は、
上記判定警告部が、上記位置情報入手部によって入手された情報に基づいて搬送が不安定であると判定した場合には、搬送における上記窓枠付き記録用紙の向きを変更した条件で搬送の安定性を判定し直すものであることを特徴とする。
【０００８】
請求項３に係る画像形成装置は、請求項２に係る画像形成装置において、
上記判定警告部が、判定し直しで搬送が安定であると判定した場合には、使用者に、搬送における上記窓枠付き記録用紙の向きの変更を促すものであることを特徴とする。
【０００９】
請求項４に係る画像形成装置は、
上記搬送機が、上記回転部材として、上記記録用紙の搬送方向に沿って並んだ複数の直列回転部材を有するものであり、
上記判定警告部が、上記直列回転部材同士の間隔を考慮して搬送の安定性を判定するものであることを特徴とする。
【００１０】
請求項５に係る画像形成装置は、
上記位置情報入手部が、上記窓枠付き記録用紙の形状を読み取り装置で読み取ることで上記情報を入手するものであることを特徴とする。
【発明の効果】
【００１１】
請求項１に係る画像形成装置によれば、窓枠が空いた記録媒体の詰まり（ジャム）を避けることができる。
【００１２】
請求項２に係る画像形成装置によれば、記録媒体の詰まりを避ける向きを判定することが出来る。
【００１３】
請求項３に係る画像形成装置によれば、安定した搬送で画像形成を行うことができる。
【００１４】
請求項４に係る画像形成装置によれば、本構成を有しない場合に較べて、搬送の安定性をより正確に判定することができる。
【００１５】
請求項５に係る画像形成装置によれば、本構成を有しない場合に較べて、上記情報の入手が容易である。
【図面の簡単な説明】
【００１６】
【図１】本発明の画像形成装置の一実施形態に相当する複合機の概略構成図である。
【図２】用紙搬送の安定性の判定に用いられる情報を表した図である。
【図３】搬送不能と判定される例を示す図である。
【図４】用紙の向きを変えて搬送可能となった例を示す図である。
【発明を実施するための形態】
【００１７】
以下、図面を参照して本発明の実施形態を説明する。
【００１８】
図１は、本発明の画像形成装置の第１実施形態に相当する複合機の概略構成図である。
【００１９】
この複合機１の上部には、原稿から画像を読み取る画像読取部１０が備えられている。この画像読取部１０にはヒンジを回転軸として開閉する蓋１１と、その蓋１１の直ぐ下に配備された透明のプラテンガラス１２と、プラテンガラス１２の更に下に配備された画像読取センサ１３が備えられている。画像読取部１０による画像読み取りの際には、蓋１１が開けられてプラテンガラス１２上に原稿が下向きにセットされる。そして、蓋１１が閉められてスタートボタンが押されると、その原稿の画像が読み取られて画像データが生成される。画像読取センサ１３は、複合機１の奥行き方向（図１の紙面に垂直な方向）に延びていて、矢印Ａ方向に移動しながら原稿の画像を順次に読み取っていき、画像データを生成する。
【００２０】
この複合機１には、複合機１全体の動作を制御する制御部２１が備えられ、例えばパーソナルコンピュータ（ＰＣ）等といった外部装置や内部の電話通信装置(図示省略)や上述した画像読取部１０から画像データを入手し、その画像データに対して画像処理を施す画像処理部２３も備えられている。またこの複合機１には、上述したスタートボタンを含む複数の操作ボタンと表示画面とを有し、ユーザからの操作入力の受付やユーザに対する各種情報の表示を行うユーザインタフェース（ＵＩ）部２２も備えられている。
【００２１】
更にこの複合機１には、各色の画像データに対応して画像形成を行う画像形成部３０が備えられている。この画像形成部３０における画像形成は、画像読取部１０での読取りにより得られた画像データや、ＰＣ等の外部装置や、複合機１内部の電話通信装置（図示省略）から入手された画像データに基づいて行なわれる。つまり、この複合機１は、コピー機とプリンタとファクシミリとの機能を併せ持っていることとなる。
【００２２】
画像形成部３０には、横に並ぶ４つの画像形成エンジン５０Ｙ，５０Ｍ，５０Ｃ，５０Ｋが備えられている。これらの画像形成エンジン５０Ｙ，５０Ｍ，５０Ｃ，５０Ｋは、それぞれ、イエロー（Ｙ）、マゼンタ（Ｍ）、シアン（Ｃ）、および黒（Ｋ）の色のトナーでトナー像を形成するエンジンである。これらの画像形成エンジン５０Ｙ，５０Ｍ，５０Ｃ，５０Ｋは、使用するトナーの色の違いを除き、同一の構成を有する。以下では、色の区別が不要の場合には、色を表わす符号であるＹ，Ｍ，Ｃ，Ｋは省略し、数字のみの符号で説明する。
【００２３】
各画像形成エンジン５０には、矢印Ｂ方向に回転する感光体ドラム５１が備えられている。また、各画像形成エンジン５０には、その感光体ドラム５１の回りに、帯電器５２、露光器５３、現像器５４、転写器５５、およびクリーナ５６が備えられている。
【００２４】
帯電器５２は、感光体ドラム５１の表面を一様に帯電し、露光器５３は、画像データに応じて変調された露光光を感光体ドラム５１に照射して、その感光体ドラム５１の表面に静電潜像を形成する。
【００２５】
現像器５４には、その画像形成エンジン５０Ｙ，５０Ｍ，５０Ｃ，５０Ｋに応じた色（Ｙ，Ｍ，Ｃ，Ｋ）のトナーが収容されていて、その収容されているトナーで感光体ドラム５１上の静電潜像を現像することにより感光体ドラム５１上にトナー像を形成する。
【００２６】
横に並ぶ４つの画像形成エンジン５０Ｙ，５０Ｍ，５０Ｃ，５０Ｋの上部には、ロール６２，６３に巻き架けられた無端状の中間転写ベルト６１が配置されていて、４つの画像形成エンジン５０Ｙ，５０Ｍ，５０Ｃ，５０Ｋに沿う循環移動径路上を矢印Ｃ方向に循環移動する。
【００２７】
感光体ドラム５１上に形成されたトナー像は、各画像形成エンジン５０の転写器５５の作用により中間転写ベルト６１上に順次重なるように転写される。
【００２８】
クリーナ５６は、感光体ドラム５１上の、転写後に残存している不要のトナーを感光体ドラム５１上から除去することで、感光体ドラム５１を清掃する。
【００２９】
中間転写ベルト６１上に順次重なるように転写されたトナー像は、その中間転写ベルト６１によって搬送され、２次転写器７１の作用により用紙上に転写される。用紙上への転写後の中間転写ベルト６１上に残存する不要なトナーは、クリーナ６４により中間転写ベルト６１から除去される。
【００３０】
この画像形成部３０内の下方には、引出し自在な用紙トレイ３１が備えられている。この用紙トレイ３１内には、画像形成に用いられる記録媒体として、画像形成前の用紙が積み重ねられて収容されている。ここで記録媒体としては、ＯＨＰシートやプラスチック紙なども収容される場合がある。また、用紙の一部分に窓枠が空いている窓枠付き用紙も収容される場合がある。窓枠付き用紙は、例えば簡易な冊子の表紙などに用いられる用紙であり、窓枠の部分から表紙直下の用紙に印字された文字の一部（例えば冊子の表題など）が確認される。
【００３１】
用紙トレイ３１に収容されている用紙は、ピックアップロール８１により取り出され、複数枚重なって取り出されたときは、捌きロール８２により確実に１枚に分離され、その１枚の用紙が搬送ロール８３により矢印Ｄの向きに搬送されてタイミング調整ロール８４に達する。搬送ロール８３による用紙の搬送は搬送ロール８３の回転によって実行される。即ち、１対の搬送ロール８３の間に用紙が挟み込まれることで各搬送ロール８３の周面と用紙表面が接触し、各搬送ロール８３が回転することで各搬送ロール８３の周面が用紙を送り出すこととなる。
【００３２】
タイミング調整ロール８４に達した用紙は、中間転写ベルト６１上に転写されたトナー像が２次転写器７１の位置に搬送されるタイミングと同期して用紙もその位置に搬送されるようにタイミングが調整されて、タイミング調整ロール８４により矢印Ｅの向きに送り出される。そしてその２次転写器７１の作用により、中間転写ベルト６１上のトナー像が用紙上に転写される。
【００３３】
トナー像の転写を受けた用紙はさらに矢印Ｆの向きに搬送されて定着器９０を通過する。この定着器９０には、矢印Ｉ方向に回転する加圧ロール９２と、矢印Ｊ方向に回転する加熱ロール９１とが備えられている。この定着器９０に搬送されてきた用紙は、加圧ロール９１と加熱ロール９１とに挟まれて加圧および加熱され、これにより用紙上のトナー像がその用紙上に定着される。
【００３４】
定着器９０を通過した用紙はさらに搬送ロール８５、８６により矢印Ｇの向きに搬送され、排出ロール８７により、画像形成部３０の上方に設けられている排紙トレイ３２上に排出される。
【００３５】
但し、複合機１に対し、図１の左方側に、いわゆるフィニッシャと称される後処理装置が接続される場合がある。その場合には、搬送ロール８５を抜けた後で搬送経路が図１の左方側へと分岐してフィニッシャへと向かうこととなる。
【００３６】
図１に示す複合機１内の画像形成部３０のうち、４つの画像形成エンジン５０Ｙ，５０Ｍ，５０Ｃ，５０Ｋ、中間転写ベルト６１、２次転写器７１、および定着器９０を併せたものが本発明にいう画像形成機の一例に相当する。また、ピックアップロール８１から排出ロール８７に至る一連のロールで用紙を搬送する機構が、本発明にいう搬送機の一例に相当し、搬送ロール８３、８５、８６および排出ロール８７が、本発明にいう回転部材の一例に相当する。各搬送ロール８３、８５、８６および排出ロール８７は、図１の紙面に垂直な方向（即ち用紙搬送方向に交わる方向であって以下では幅方向と称する）に並んだ複数のロール部材（ここでは単純な一例として２つのロール部材）が１つのシャフトで連結されて一体化されたものであり、このような複数のロール部材が、本発明にいう並列回転部材の一例に相当する。
【００３７】
図１に示す複合機１では、窓枠付き用紙が用いられる際には、ユーザによってＵＩ部２２が操作されて窓枠付き用紙の窓枠の位置が入力される。一方、制御部２１には、各搬送ロール８３、８５、８６および排出ロール８７について配置位置が記憶されていて、後で詳述する判定演算によって用紙搬送の安定性が判定され、用紙搬送が出来ない場合にＵＩ部２２を介してユーザに警告が与えられる。つまり、ＵＩ部２２は本発明にいう位置情報入手部の一例に相当し、制御部２１とＵＩ部２２を併せたものが本発明にいう判定警告部の一例に相当する。
【００３８】
以下、本実施形態で用紙搬送の安定性が判定される手法について詳しく説明する。
【００３９】
図２は、用紙搬送の安定性の判定に用いられる情報を表した図である。
【００４０】
上述したＵＩ部２２から入力される情報は、本実施形態では次のような情報である。
【００４１】
第１に窓枠付き用紙Ｐの用紙サイズが入力される。但し、用紙のサイズ値そのものが入力される訳ではなく、例えば「Ａ４の縦方向」等というように、用紙の搬送方向のサイズ値Ｌ１と幅方向のサイズ値Ｌ２とのそれぞれが確定されるように用紙サイズの選択操作が行われ、その後、制御部２１内で各サイズ値Ｌ１，Ｌ２に換算される。
【００４２】
第２には、搬送方向（図２の矢印Ｈ方向）における窓枠Ｗの位置Ｌ３が入力され、第３には、搬送方向における窓枠ＷのサイズＬ４が入力される。
【００４３】
更に、第４には、幅方向における窓枠Ｗの位置Ｌ５が入力され、第６には、幅方向における窓枠ＷのサイズＬ６が入力される。
【００４４】
これらの入力情報に対し、制御部２１に予め記憶されている内部情報は次のような情報である。なお、以下説明する内部情報は、いずれも、各搬送ロール８３、８５、８６および排出ロール８７のそれぞれについて記憶されていることとする。また、以下の説明では、搬送ロール８３、８５、８６および排出ロール８７を総称して「ロール」と呼ぶ。上述したように、各ロールは、幅方向に並んだ複数（ここでは一例として２つ）のロール部材８０を有する。ロール部材８０自体のサイズや配置間隔は、一般に各ロールで異なっている。
【００４５】
内部情報の第１には、ロール部材８０の配置における幅方向のセンター位置Ａが記憶されている。
【００４６】
第２には、ロール部材８０自体の幅方向サイズＢが記憶されている。
【００４７】
第３には、あるロールと、そのロールの「上流」に位置するロールとの間隔（ピッチ）Ｃが記憶され、第４には、あるロールと、そのロールの「下流」に位置するロールとの間隔（ピッチ）Ｄが記憶されている。ここで、「上流」「下流」とは、用紙搬送における上流、下流の意味である。
【００４８】
このような入力情報と内部情報とに基づいて用紙搬送の安定性が次の演算式で判定される。まず、
Ｌ２／２−Ｌ５−Ａ−Ｂ＞０且つＬ２／２−Ｌ５−Ｌ６−Ａ＜０      ・・・（式１）
Ｌ２／２＋Ａ−Ｌ５＞０且つＬ２／２＋Ａ＋Ｂ−Ｌ５−Ｌ６＜０      ・・・（式２）
の少なくとも一方に該当するロールは、搬送に際していずれかのロール部材８０が窓枠の内側にかかって不安定な搬送となる。
【００４９】
上記式１，式２によって搬送が不安定であると判定されたロールに対し、次に、そのロール１本での搬送となるか否かが判定される。即ち、
（Ｌ１−Ｌ３−Ｌ４）＞Ｃ且つＬ３＞Ｄ      ・・・（式３）
という演算式に該当すればロール１本での搬送となり、搬送不能と判定される。複合機１に組み込まれているロールのいずれか１つでもそのように搬送不能と判定された場合には、上述したように制御部２１によってＵＩ部２２を介してユーザに警告が与えられる。
【００５０】
このような判定や警告は、画像形成のために用紙トレイ３１から用紙が抜き出される前に実行される。具体的には、上述した入力情報の入力が終了したタイミングや、ＵＩ部２２のスタートボタンが押されてから画像形成を一時中断している間などに実行される。中断中の画像形成は、搬送可能と判定された場合には再開され、搬送不能と判定された場合には中止される。この結果、搬送不能で紙詰まりを生じるような窓枠付き用紙Ｐの使用が回避され、紙詰まりも回避されることとなる。
【００５１】
図３は、搬送不能と判定される例を示す図である。
【００５２】
窓枠付き用紙Ｐは図３の右方向へと搬送されるものとする。また、ここではロール同士の間隔（ピッチ）は窓枠付き用紙Ｐのサイズよりも充分に大きいものとする。
【００５３】
図３に示すような場合には、搬送によってロール部材８０の１つが窓枠Ｗ内に入ってしまうので窓枠付き用紙Ｐを繰り出す力が得られず、搬送不能となる。
【００５４】
本発明にいう判定警告部としては、上記式１，式２によって搬送が不安定と判定された場合に警告を出す形態も採用され得るが、上記式３のように、用紙搬送方向におけるロール部材の間隔（ピッチ）を考慮した判定が行われる本実施形態の方が、用紙搬送の安定性についてより正確な判定が得られることとなる。
【００５５】
また、本実施形態では、窓枠付き用紙Ｐが搬送可能であると判定された場合には、用紙の搬送経路上の各所に設けられた、用紙の通過状況を判定するための通過センサの各位置と窓枠Ｗの通過位置が制御部２１によって比較され、位置が重なる通過センサについてはセンサ情報が通過状況の判定から除外（情報マスク）される。これは、窓枠Ｗの縁を用紙の外縁と誤認して状況判断が下される事態を回避するためである。
【００５６】
さらに、本実施形態では、窓枠付き用紙Ｐに形成される画像が、窓枠Ｗ内に相当する画像部分を有している場合には、その画像部分は画像形成から除外される。これは、装置内の汚損などを回避するためである。
【００５７】
本実施形態では、上記式３の判定により搬送不能と判定されると、更に、搬送時の用紙の向き（具体的には用紙の縦横）を変更した場合についても判定を行う。即ち、上述したサイズ値Ｌ１とサイズ値Ｌ２とを入れ替え、窓枠Ｗの位置Ｌ３と位置Ｌ５とを入れ替え、窓枠ＷのサイズＬ４とサイズＬ６とを入れ替えて、上記式１，式２から演算をやり直すこととなる。このように判定をやり直すことにより、紙詰まりを回避し得る向きが確認されることとなる。但し、図１に示す複合機１に後処理装置（フィニッシャ）が接続されると、後処理装置における処理（例えば折り曲げ処理やステープル処理など）の都合上、用紙の向きが制限される場合があるので、その場合には判定のやり直しは行われない。
【００５８】
用紙の向きを変更してやり直した判定でも搬送不能である場合には、上述したようにユーザに警告が与えられるが、用紙の向きを変更してやり直した判定で搬送可能という結果が得られた場合には、制御部２１によってＵＩ部２２を介してユーザに、搬送における用紙の向きの変更を促すメッセージが示される。
【００５９】
図４は、用紙の向きを変えて搬送可能となった例を示す図である。
【００６０】
図４に示す窓枠付き用紙Ｐは図３に示す窓枠付き用紙Ｐと同じ用紙であるが搬送における用紙の向きが異なる。窓枠付き用紙Ｐは図４の右方向へと搬送されるが、図３では用紙の長辺が先頭で搬送されているのに対して図４では用紙の短辺を先頭にして搬送されている。そして、このような向きでの搬送であれば、いずれのロール部材８０も窓枠Ｗに係らず、窓枠付き用紙Ｐは安定して搬送されることとなる。
【００６１】
このように、搬送における用紙の向きの変更で搬送可能となる場合には、向きの変更を促すメッセージを見たユーザが用紙の向きを変更する（具体的には、用紙トレイ３１中の用紙を入れ直して向きを変えるか、異なる向きに用紙が収納された別の用紙トレイ３１を選択する）ことで、紙詰まりが回避されることとなる。
【００６２】
なお、複合機１には一般に、用紙上の画像形成の向きが搬送時の用紙の向きに依存せずにユーザの所望する向きとなるように、制御部２１から画像形成部３０に送られる画像データが表す画像の向きを切り替える機能が組み込まれており、本実施形態でもその機能を有しているものとする。そして、ユーザが上記メッセージに応じて用紙の向きを変更した場合であっても、この機能が用いられることで用紙に対する画像形成の向きは維持される。
【００６３】
次に、本発明の画像形成装置の第２実施形態について説明する。この第２実施形態は、ハードウェア構成としては第１実施形態の複合機１と同様であり、画像読取部１０と画像処理部２３とを併せたものが本発明にいう位置情報入手部の一例に相当している点が第１実施形態とは異なっている。以下、第１実施形態との相違点に着目した説明を行い、重複説明は省略する。
【００６４】
第２実施形態の複合機１では、画像読取部１０で窓枠付き用紙Ｐを読み取ることで、図２で説明した入力情報を入手する。この第２実施形態の複合機１には、窓枠の読取モードが用意されていて、ユーザはＵＩ部２２を介したメニュー選択によって窓枠の読取モードを選択する。また、窓枠付き用紙Ｐの読み取り用の背景として黒色の用紙などを用意する。そして、プラテンガラス１２上に窓枠付き用紙Ｐと背景用紙とを重ねて載せ、画像読取部１０に窓枠付き用紙Ｐを読み取らせる。読み取られた窓枠付き用紙Ｐの画像は画像処理部２３へと送られ、画像処理部２３による画像処理によって窓枠付き用紙Ｐのエッジ（窓枠のエッジも含む）の位置が検出される。この画像処理としては、例えば特開平９−３０５７００号公報に記載の技術を応用すればよい。画像処理部２３では、このように検出されたエッジの位置に基づいて、図２で説明したような入力情報が算出されて制御部２１へと送られる。このように、ユーザが窓枠付き用紙Ｐを画像読取部１０に読み取らせることで情報が入力されるので、ユーザの入力操作は容易である。
【００６５】
入力情報が制御部２１へと送られた後の動作は第１実施形態と同様である。
【００６６】
以上で本実施形態の説明を終了する。
【００６７】
なお、上記実施形態の説明では、本発明の画像形成装置の一例として複合機を提示したが、本発明の画像形成装置は、プリンタ、コピー機、ファクシミリそれぞれの単機能装置でもよい。
【００６８】
また、上記実施形態の説明では、本発明にいう画像形成機の一例として、いわゆるタンデム型のカラー機を提示したが、本発明にいう画像形成機は、いわゆるレボルバ型のカラー機であってもよく、あるいはモノクロ機であってもよい。
【００６９】
また、上記実施形態の説明では、搬送路の幅方向のセンターに用紙のセンターを併せるように用紙が搬送される搬送方式の例が示されているが、本発明の画像形成装置では、搬送路の幅方向の片方に用紙を寄せるように用紙が搬送される搬送方式が採用されても良い。このように片方に用紙を寄せる搬送方式の場合には、上述した「記録用紙の向きを変更した条件」には、幅方向に用紙を反転した条件も含まれる。
【００７０】
また、上記実施形態の説明では、本発明にいう位置情報入手部として、直接入力された窓枠のサイズなどを入手する方式のものと、画像読取部１０による読み取りおよび画像処理で入手する方式のものが例示されているが、本発明にいう位置情報入手部としては、例えばピックアップロール８１の付近に、各搬送ロール８３、８５、８６および排出ロール８７に含まれた各ロール部材８０の各位置に相当する各通過センサを設けておいて、ピックアップロール８１によって窓枠付き用紙Ｐを１枚抜き出してみることで窓枠Ｗの位置を検出するという方式のものであってもよい。
【符号の説明】
【００７１】
１    複合機
１０    画像読取部
２１    制御部
２２    ユーザインタフェース（ＵＩ）部
２３    画像処理部
３１    用紙トレイ
５０Ｙ，５０Ｍ，５０Ｃ，５０Ｋ    画像形成エンジン
６１    中間転写ベルト
７１    ２次転写器
８３、８５、８６    搬送ロール
８７    排出ロール
９０    定着器
【図１】
2015161796.tif 000003
【図２】
2015161796.tif 000004
【図３】
2015161796.tif 000005
【図４】
2015161796.tif 000006